(57)【要約】【課題】本発明は怠け者ニットネクタイを開示した。【解決手段】ネクタイ結び目を含み、前記ネクタイ結び目の中には伝動チャンバが設置され、前記伝動チャンバの後端内壁には中心対称の二つのスライド穴が設置され、前記スライド穴の中には左右に対称している従動軸が固定的に連結され、前記従動軸には挟みローラーが回転できるように連結され、前記挟みローラーにおいて互いに近接している側の端面には前記挟みローラーと当接する首輪が設置され、前記伝動チャンバの頂端内壁には前記スライド穴の前端に位置している固定軸が設置され、本発明は簡単な回転動作によりネクタイの佩帯と調整を完成し、時間を節約し、同時に、ネクタイの長さを調整でき、サイズが合わないと外観がだらしなくなることを避ける。【選択図】図１
2020176356.tif 000002
【特許請求の範囲】
【請求項１】
ネクタイ結び目を含み、前記ネクタイ結び目の中には伝動チャンバが設置され、前記伝動チャンバの後端内壁には中心対称の二つのスライド穴が設置され、前記スライド穴の中には左右に対称している従動軸が固定的に連結され、前記従動軸には挟みローラーが回転できるように連結され、前記挟みローラーにおいて互いに近接している側の端面には前記挟みローラーと当接する首輪が設置され、前記伝動チャンバの頂端内壁には前記スライド穴の前端に位置している固定軸が設置され、前記固定軸にはガイドローラーが回転できるように連結され、左端の前記ガイドローラーと前記首輪とが固定的に連結され、前記伝動チャンバの頂端内壁には弾性復帰可能な佩帯装置が回転できるように連結され、前記佩帯装置が前記首輪を制御し、前記伝動チャンバの左右端内壁には対称しているスライドレールが設置され、前記スライドレールにはロック装置がスライドできるように連結され、前記伝動チャンバの下端内壁には抜き穴が連通し設置され、前記抜き穴の中には伸縮装置が回転できるように連結され、
手動で反時計回りに前記佩帯装置を回し、前記首輪を首にかけることができるまで、前記首輪の収納範囲を拡大し、前記ロック装置を引き下に移動させ、このとき、前記首輪が首に密着するまで、前記佩帯装置が弾性復帰力により時計回りに回転し、前記ロック装置を放し、適当に前記佩帯装置を反時計回りに回転させ、ユーザーの上半身の身長により、前記伸縮装置を回転させ適当な長さを選択することを特徴とする怠け者ニットネクタイ。
【請求項２】
前記佩帯装置は前記伝動チャンバの頂端内壁と回転できるように連結される伝動軸を含み、前記伝動軸には調節輪が設置され、前記調節輪の上側端面と前記伝動チャンバの頂端内壁との間にはトーションばねが連結され、前記調節輪には前記首輪と固定的に連結され、且つ右端の前記ガイドローラーと当接されるベルトが設置され、前記伝動軸には前記調節輪の下端に位置しており、且つ前記伝動チャンバの外側まで伸びている回転盤が設置され、前記伝動軸には前記回転盤の下側に位置しているラチェットホイールが設置され、
手動で反時計回りに前記回転盤を回し、前記伝動軸により前記調節輪を連動させ、それにより前記ベルトを放し、前記首輪の収納範囲を拡大し、頭部を通して首にかけられることを特徴とする請求項１に記載の怠け者ニットネクタイ。
【請求項３】
前記ロック装置は前記スライドレールとスライドできるように連結される引き板を含み、前記引き板の上側端と前記スライドレールの頂端内壁との間には伸びばねが連結され、前記引き板の上側端面には前記伝動チャンバの中に位置しているスリーブが設置され、前記スリーブの中には上方に開口した凹溝が設置され、前記凹溝の中には八つの位置制限ロッドが環状配列で分布され、前記位置制限ロッドの中には円心に開口し、且つ反時計回り側向きの回転溝が設置され、前記回転溝の中には回転軸が回転できるように連結され、前記回転軸には前記ラチェットホイールと当接される引掛りロッドが設置され、前記引掛りロッドの下側端面と前記回転溝の底端内壁との間には復帰ばねが連結され、
前記引掛りロッドが前記回転溝において時計回りにしか回転できない特性を利用し、前記ラチェットホイールに対し単方向に回転制御を行うことを特徴とする請求項１又は請求項２に記載の怠け者ニットネクタイ。
【請求項４】
前記伸縮装置は前記抜き穴の左右端内壁に設置される対称の折り曲げブロックを含み、前記抜き穴の中には前記折り曲げブロックの上端に位置しており、且つ左に前記抜き穴の左部外側まで伸びている駆動軸が回転できるように連結され、前記駆動軸には前記抜き穴の中に位置している収納輪が設置され、前記収納輪にはネクタイが設置され、前記駆動軸の左端末端にはノブが設置され、
手動で前記ノブを回し、前記駆動軸により前記収納輪を回し、対応する長さのネクタイを放すことを特徴とする請求項１に記載の怠け者ニットネクタイ。
【発明の詳細な説明】
【技術分野】
【０００１】
本発明はニット用品技術分野を取り上げて、具体的には怠け者ニットネクタイである。
【背景技術】
【０００２】
ネクタイは男性のオフィスウェアのアクセサリーとして、不可欠なものであり、しかし全ての人がネクタイを結べるわけではない。そうするとネクタイの結びにより多くの時間がかかる。同時に、結び方が下手だと全体の美しさに影響を与え、さらに人を恥ずかしくさせる可能性もある。本発明は上記問題を解決できる装置を説明する。
【先行技術文献】
【特許文献】
【０００３】
【特許文献１】中国特許出願公開第１０３８７６３６３号明細書
【発明の概要】
【発明が解決しようとする課題】
【０００４】
本発明の目的は怠け者ニットネクタイを提供し、それは上記の現在の技術中の問題を解決できる。
【課題を解決するための手段】
【０００５】
本発明の怠け者ニットネクタイは、ネクタイ結び目を含み、前記ネクタイ結び目の中には伝動チャンバが設置され、前記伝動チャンバの後端内壁には中心対称の二つのスライド穴が設置され、前記スライド穴の中には左右に対称している従動軸が固定的に連結され、前記従動軸には挟みローラーが回転できるように連結され、前記挟みローラーにおいて互いに近接している側の端面には前記挟みローラーと当接する首輪が設置され、前記伝動チャンバの頂端内壁には前記スライド穴の前端に位置している固定軸が設置され、前記固定軸にはガイドローラーが回転できるように連結され、左端の前記ガイドローラーと前記首輪とが固定的に連結され、前記伝動チャンバの頂端内壁には弾性復帰可能な佩帯装置が回転できるように連結され、前記佩帯装置が前記首輪を制御し、前記伝動チャンバの左右端内壁には対称しているスライドレールが設置され、前記スライドレールにはロック装置がスライドできるように連結され、前記伝動チャンバの下端内壁には抜き穴が連通し設置され、前記抜き穴の中には伸縮装置が回転できるように連結され、
手動で反時計回りに前記佩帯装置を回し、前記首輪を首にかけることができるまで、前記首輪の収納範囲を拡大し、前記ロック装置を引き下に移動させ、このとき、前記首輪が首に密着するまで、前記佩帯装置が弾性復帰力により時計回りに回転し、前記ロック装置を放し、適当に前記佩帯装置を反時計回りに回転させ、ユーザーの上半身の身長により、前記伸縮装置を回転させ適当な長さを選択する。
【０００６】
優選的には、前記佩帯装置は前記伝動チャンバの頂端内壁と回転できるように連結される伝動軸を含み、前記伝動軸には調節輪が設置され、前記調節輪の上側端面と前記伝動チャンバの頂端内壁との間にはトーションばねが連結され、前記調節輪には前記首輪と固定的に連結され、且つ右端の前記ガイドローラーと当接されるベルトが設置され、前記伝動軸には前記調節輪の下端に位置しており、且つ前記伝動チャンバの外側まで伸びている回転盤が設置され、前記伝動軸には前記回転盤の下側に位置しているラチェットホイールが設置され、
手動で反時計回りに前記回転盤を回し、前記伝動軸により前記調節輪を連動させ、それにより前記ベルトを放し、前記首輪の収納範囲を拡大し、頭部を通して首にかけられる。
【０００７】
優選的には、前記ロック装置は前記スライドレールとスライドできるように連結される引き板を含み、前記引き板の上側端と前記スライドレールの頂端内壁との間には伸びばねが連結され、前記引き板の上側端面には前記伝動チャンバの中に位置しているスリーブが設置され、前記スリーブの中には上方に開口した凹溝が設置され、前記凹溝の中には八つの位置制限ロッドが環状配列で分布され、前記位置制限ロッドの中には円心に開口し、且つ反時計回り側向きの回転溝が設置され、前記回転溝の中には回転軸が回転できるように連結され、前記回転軸には前記ラチェットホイールと当接される引掛りロッドが設置され、前記引掛りロッドの下側端面と前記回転溝の底端内壁との間には復帰ばねが連結され、
前記引掛りロッドが前記回転溝において時計回りにしか回転できない特性を利用し、前記ラチェットホイールに対し単方向に回転制御を行う。
【０００８】
優選的には、前記伸縮装置は前記抜き穴の左右端内壁に設置される対称の折り曲げブロックを含み、前記抜き穴の中には前記折り曲げブロックの上端に位置しており、且つ左に前記抜き穴の左部外側まで伸びている駆動軸が回転できるように連結され、前記駆動軸には前記抜き穴の中に位置している収納輪が設置され、前記収納輪にはネクタイが設置され、前記駆動軸の左端末端にはノブが設置され、
手動で前記ノブを回し、前記駆動軸により前記収納輪を回し、対応する長さのネクタイを放す。
【発明の効果】
【０００９】
本発明の有益的な効果は：本発明は操作技能のない簡単なネクタイであり、手動でネクタイの結び目にある機械伝動部品を操作することにより着けと調整を行い、ネクタイを結べない人に便利を与え、時間を節約し、同時に、ネクタイの長さを調整でき、サイズが合わないと外観がだらしなくなることを避ける。
【図面の簡単な説明】
【００１０】
説明しやすいため、本発明は以下の具体的な実施例と付図を交え詳しく説明する。
【００１１】
【図１】図１は本発明の怠け者ニットネクタイの全体構造概略図
【図２】図２は図１のネクタイ結び目の構造概略図
【図３】図３は図２のＡ−Ａの構造概略図
【図４】図４は図３のＢ−Ｂの構造概略図
【図５】図５は図２のＣ−Ｃの構造概略図
【図６】図６は図２のＤ−Ｄの構造概略図
【発明を実施するための形態】
【００１２】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１３】
本発明の怠け者ニットネクタイは、ネクタイ結び目１１を含み、前記ネクタイ結び目１１の中には伝動チャンバ１６が設置され、前記伝動チャンバ１６の後端内壁には中心対称の二つのスライド穴３９が設置され、前記スライド穴３９の中には左右に対称している従動軸４０が固定的に連結され、前記従動軸４０には挟みローラー３８が回転できるように連結され、前記挟みローラー３８において互いに近接している側の端面には前記挟みローラー３８と当接する首輪１２が設置され、前記伝動チャンバ１６の頂端内壁には前記スライド穴３９の前端に位置している固定軸１５が設置され、前記固定軸１５にはガイドローラー１４が回転できるように連結され、左端の前記ガイドローラー１４と前記首輪１２とが固定的に連結され、前記伝動チャンバ１６の頂端内壁には弾性復帰可能な佩帯装置９０１が回転できるように連結され、前記佩帯装置９０１が前記首輪１２を制御し、前記伝動チャンバ１６の左右端内壁には対称しているスライドレール２４が設置され、前記スライドレール２４にはロック装置９０２がスライドできるように連結され、前記伝動チャンバ１６の下端内壁には抜き穴２６が連通し設置され、前記抜き穴２６の中には伸縮装置９０３が回転できるように連結され、
手動で反時計回りに前記佩帯装置９０１を回し、前記首輪１２を首にかけることができるまで、前記首輪１２の収納範囲を拡大し、前記ロック装置９０２を引き下に移動させ、このとき、前記首輪１２が首に密着するまで、前記佩帯装置９０１が弾性復帰力により時計回りに回転し、前記ロック装置９０２を放し、適当に前記佩帯装置９０１を反時計回りに回転させ、ユーザーの上半身の身長により、前記伸縮装置９０３を回転させ適当な長さを選択する。
【００１４】
有益的には、前記佩帯装置９０１は前記伝動チャンバ１６の頂端内壁と回転できるように連結される伝動軸１９を含み、前記伝動軸１９には調節輪１７が設置され、前記調節輪１７の上側端面と前記伝動チャンバ１６の頂端内壁との間にはトーションばね１８が連結され、前記調節輪１７には前記首輪１２と固定的に連結され、且つ右端の前記ガイドローラー１４と当接されるベルト２０が設置され、前記伝動軸１９には前記調節輪１７の下端に位置しており、且つ前記伝動チャンバ１６の外側まで伸びている回転盤２１が設置され、前記伝動軸１９には前記回転盤２１の下側に位置しているラチェットホイール３０が設置され、
手動で反時計回りに前記回転盤２１を回し、前記伝動軸１９により前記調節輪１７を連動させ、それにより前記ベルト２０を放し、前記首輪１２の収納範囲を拡大し、頭部を通して首にかけられる。
【００１５】
有益的には、前記ロック装置９０２は前記スライドレール２４とスライドできるように連結される引き板２３を含み、前記引き板２３の上側端と前記スライドレール２４の頂端内壁との間には伸びばね２２が連結され、前記引き板２３の上側端面には前記伝動チャンバ１６の中に位置しているスリーブ３１が設置され、前記スリーブ３１の中には上方に開口した凹溝３２が設置され、前記凹溝３２の中には八つの位置制限ロッド３３が環状配列で分布され、前記位置制限ロッド３３の中には円心に開口し、且つ反時計回り側向きの回転溝３６が設置され、前記回転溝３６の中には回転軸３４が回転できるように連結され、前記回転軸３４には前記ラチェットホイール３０と当接される引掛りロッド３５が設置され、前記引掛りロッド３５の下側端面と前記回転溝３６の底端内壁との間には復帰ばね３７が連結され、
前記引掛りロッド３５が前記回転溝３６において時計回りにしか回転できない特性を利用し、前記ラチェットホイール３０に対し単方向に回転制御を行う。
【００１６】
有益的には、前記伸縮装置９０３は前記抜き穴２６の左右端内壁に設置される対称の折り曲げブロック２５を含み、前記抜き穴２６の中には前記折り曲げブロック２５の上端に位置しており、且つ左に前記抜き穴２６の左部外側まで伸びている駆動軸２８が回転できるように連結され、前記駆動軸２８には前記抜き穴２６の中に位置している収納輪２７が設置され、前記収納輪２７にはネクタイ１３が設置され、前記駆動軸２８の左端末端にはノブ２９が設置され、
手動で前記ノブ２９を回し、前記駆動軸２８により前記収納輪２７を回し、対応する長さのネクタイを放す。
【００１７】
初期状態に、ネクタイ１３が収納輪２７に巻き付いており、抜き穴２６の中に収納されており、引き板２３がスライドレール２４において上端内壁に近接するところに位置しており、引掛りロッド３５とラチェットホイール３０とを当接させ、引掛りロッド３５の回転が前記回転溝３６の空間範囲に制限され、それにより伝動軸１９が反時計回りにしか回転できなく、また伝動軸１９の回転が前記復帰ばね３７の弾性により復帰できる。
【００１８】
作動するとき、手動で反時計回りに回転盤２１を回し、伝動軸１９により調節輪１７を回転連動させ、トーションばね１８に運動エネルギーを蓄積させ、同時に、ベルト２０が右端のガイドローラー１４と、右端の挟みローラー３８を通させ、ベルト２０の収納範囲を増加し、頭部を通して首にかけられ、そして、手動で下に引き板２３を引き、伸びばね２２に運動エネルギーを蓄積させ、引き板２３がスリーブ３１を連動させ同期に下に移動させ、引掛りロッド３５をラチェットホイール３０との当接から離脱させ、このとき、伝動軸１９の弾性復帰のため調節輪１７を時計回りに回転連動させ、ベルト２０により首輪１２を引き快速に首に密着させ、引き板２３を放し、引き板２３が伸びばね２２の弾性復帰により上に移動し、引掛りロッド３５とラチェットホイール３０とを改めて当接させ、また反時計回りに回転盤２１を回転させ、首輪１２が首に密着する力の大きさを調整し、そしてノブ２９を回転させ駆動軸２８により収納輪２７を回転させ、ネクタイ１３を抜き穴２６の中から適当な長さまで滑り出せる。
【００１９】
終わった後、逆方向にノブ２９を回転させ、ネクタイ１３を折り曲げブロック２５の制限を通して折り曲げさせ、また収納輪２７に巻き付き、作業ステップと同じ操作方式で、ベルト２０の範囲を増加しネクタイを取り外せばよい。
【００２０】
本発明の有益的な効果は：本発明は操作技能のない簡単なネクタイであり、手動でネクタイの結び目にある機械伝動部品を操作することにより着けと調整を行い、ネクタイを結べない人に便利を与え、時間を節約し、同時に、ネクタイの長さを調整でき、サイズが合わないと外観がだらしなくなることを避ける。
【００２１】
以上の方式により、当業者が本発明範囲内で作業モードによって各種な変形をすることができる。
【図１】
2020176356.tif 000003
【図２】
2020176356.tif 000004
【図３】
2020176356.tif 000005
【図４】
2020176356.tif 000006
【図５】
2020176356.tif 000007
【図６】
2020176356.tif 000008
【手続補正書】
【提出日】令和1年8月12日(2019.8.12)
【手続補正１】
【補正対象書類名】特許請求の範囲
【補正対象項目名】全文
【補正方法】変更
【補正の内容】
【特許請求の範囲】
【請求項１】
ネクタイ結び目を含み、前記ネクタイ結び目の中には伝動チャンバが設置され、前記伝動チャンバの後端内壁には中心対称の二つのスライド穴が設置され、前記スライド穴の中には従動軸が左右対称に固定的に連結され、前記従動軸には挟みローラーが回転できるように連結され、上下両側の前記挟みローラーの間には首輪が当接できるように取り付けられ、前記伝動チャンバの頂端内壁には前記スライド穴の前端に位置している固定軸が設置され、前記固定軸にはガイドローラーが回転できるように連結され、左端の前記ガイドローラーと前記首輪とが固定的に連結され、前記伝動チャンバの頂端内壁には弾性復帰可能な佩帯装置が回転できるように連結され、前記佩帯装置は前記伝動チャンバの頂端内壁と回転できるように連結される伝動軸を含み、前記伝動軸には調節輪が設置され、前記調節輪の上側端面と前記伝動チャンバの頂端内壁との間にはトーションばねが連結され、前記調節輪には前記首輪と固定的に連結され、且つ右端の前記ガイドローラーと当接されるベルトが設置され、前記伝動軸には前記調節輪の下端に位置しており、且つ前記伝動チャンバの外側まで伸びている回転盤が設置され、前記伝動軸には前記回転盤の下側に位置しているラチェットホイールが設置され、
手動で反時計回りに前記回転盤を回し、前記伝動軸により前記調節輪を連動させ、前記首輪の収納範囲を拡大し、頭部を通して首にかけられ、
前記伝動チャンバの左右端内壁にはスライドレールが対称に設置され、前記スライドレールにはロック装置がスライドできるように連結され、前記ロック装置は前記スライドレールとスライドできるように連結される引き板を含み、前記引き板の上側端と前記スライドレールの頂端内壁との間には伸びばねが連結され、前記引き板の上側端面には前記伝動チャンバの中に位置しているスリーブが設置され、前記スリーブの中には上方に開口した凹溝が設置され、前記凹溝の中には八つの位置制限ロッドが環状配列で分布され、前記位置制限ロッドの中には円心に開口し、且つ反時計回り側向きの回転溝が設置され、前記回転溝の中には回転軸が回転できるように連結され、前記回転軸には前記ラチェットホイールと当接される引掛りロッドが設置され、前記引掛りロッドの下側端面と前記回転溝の底端内壁との間には復帰ばねが連結され、
前記ラチェットホイールに対し単方向に回転制御を行い、
前記伝動チャンバの下端内壁には抜き穴が連通し設置され、前記抜き穴の中には伸縮装置が回転できるように連結され、
前記伸縮装置は前記抜き穴の左右端内壁に設置される対称の折り曲げブロックを含み、前記抜き穴の中には前記折り曲げブロックの上端に位置しており、且つ左に前記抜き穴の左部外側まで伸びている駆動軸が回転できるように連結され、前記駆動軸には前記抜き穴の中に位置している収納輪が設置され、前記収納輪にはネクタイが設置され、前記駆動軸の左端末端にはノブが設置され、
手動で前記ノブを回し、前記駆動軸により前記収納輪を回し、
手動で反時計回りに前記佩帯装置を回し、前記首輪を首にかけることができるまで、前記首輪の収納範囲を拡大し、前記ロック装置を引き下に移動させ、このとき、前記首輪が首に密着するまで、前記佩帯装置が弾性復帰力により時計回りに回転し、ユーザーの上半身の身長により、前記伸縮装置を回転させ適当な長さを選択することを特徴とする怠け者ニットネクタイ。
【手続補正２】
【補正対象書類名】明細書
【補正対象項目名】全文
【補正方法】変更
【補正の内容】
【発明の詳細な説明】
【技術分野】
【０００１】
本発明はニット用品技術分野を取り上げて、具体的には怠け者ニットネクタイである。
【背景技術】
【０００２】
ネクタイは男性のオフィスウェアのアクセサリーとして、不可欠なものであり、しかし全ての人がネクタイを結べるわけではない。そうするとネクタイの結びにより多くの時間がかかる。同時に、結び方が下手だと全体の美しさに影響を与え、さらに人を恥ずかしくさせる可能性もある。本発明は上記問題を解決できる装置を説明する。
【先行技術文献】
【特許文献】
【０００３】
【特許文献１】中国特許出願公開第１０３８７６３６３号明細書
【発明の概要】
【発明が解決しようとする課題】
【０００４】
本発明の目的は怠け者ニットネクタイを提供し、それは上記の現在の技術中の問題を解決できる。
【課題を解決するための手段】
【０００５】
本発明の怠け者ニットネクタイは、ネクタイ結び目を含み、前記ネクタイ結び目の中には伝動チャンバが設置され、前記伝動チャンバの後端内壁には中心対称の二つのスライド穴が設置され、前記スライド穴の中には従動軸が左右対称に固定的に連結され、前記従動軸には挟みローラーが回転できるように連結され、上下両側の前記挟みローラーの間には首輪が当接できるように取り付けられ、前記伝動チャンバの頂端内壁には前記スライド穴の前端に位置している固定軸が設置され、前記固定軸にはガイドローラーが回転できるように連結され、左端の前記ガイドローラーと前記首輪とが固定的に連結され、前記伝動チャンバの頂端内壁には弾性復帰可能な佩帯装置が回転できるように連結され、前記伝動チャンバの左右端内壁にはスライドレールが対称に設置され、前記スライドレールにはロック装置がスライドできるように連結され、前記伝動チャンバの下端内壁には抜き穴が連通し設置され、前記抜き穴の中には伸縮装置が回転できるように連結され、
手動で反時計回りに前記佩帯装置を回し、前記首輪を首にかけることができるまで、前記首輪の収納範囲を拡大し、前記ロック装置を引き下に移動させ、このとき、前記首輪が首に密着するまで、前記佩帯装置が弾性復帰力により時計回りに回転し、ユーザーの上半身の身長により、前記伸縮装置を回転させ適当な長さを選択する。
【０００６】
優選的には、前記佩帯装置は前記伝動チャンバの頂端内壁と回転できるように連結される伝動軸を含み、前記伝動軸には調節輪が設置され、前記調節輪の上側端面と前記伝動チャンバの頂端内壁との間にはトーションばねが連結され、前記調節輪には前記首輪と固定的に連結され、且つ右端の前記ガイドローラーと当接されるベルトが設置され、前記伝動軸には前記調節輪の下端に位置しており、且つ前記伝動チャンバの外側まで伸びている回転盤が設置され、前記伝動軸には前記回転盤の下側に位置しているラチェットホイールが設置され、
手動で反時計回りに前記回転盤を回し、前記伝動軸により前記調節輪を連動させ、前記首輪の収納範囲を拡大し、頭部を通して首にかけられる。
【０００７】
優選的には、前記ロック装置は前記スライドレールとスライドできるように連結される引き板を含み、前記引き板の上側端と前記スライドレールの頂端内壁との間には伸びばねが連結され、前記引き板の上側端面には前記伝動チャンバの中に位置しているスリーブが設置され、前記スリーブの中には上方に開口した凹溝が設置され、前記凹溝の中には八つの位置制限ロッドが環状配列で分布され、前記位置制限ロッドの中には円心に開口し、且つ反時計回り側向きの回転溝が設置され、前記回転溝の中には回転軸が回転できるように連結され、前記回転軸には前記ラチェットホイールと当接される引掛りロッドが設置され、前記引掛りロッドの下側端面と前記回転溝の底端内壁との間には復帰ばねが連結され、
前記ラチェットホイールに対し単方向に回転制御を行う。
【０００８】
優選的には、前記伸縮装置は前記抜き穴の左右端内壁に設置される対称の折り曲げブロックを含み、前記抜き穴の中には前記折り曲げブロックの上端に位置しており、且つ左に前記抜き穴の左部外側まで伸びている駆動軸が回転できるように連結され、前記駆動軸には前記抜き穴の中に位置している収納輪が設置され、前記収納輪にはネクタイが設置され、前記駆動軸の左端末端にはノブが設置され、
手動で前記ノブを回し、前記駆動軸により前記収納輪を回す。
【発明の効果】
【０００９】
本発明の有益的な効果は：本発明は操作技能のない簡単なネクタイであり、手動でネクタイの結び目にある機械伝動部品を操作することにより着けと調整を行い、ネクタイを結べない人に便利を与え、時間を節約し、同時に、ネクタイの長さを調整でき、サイズが合わないと外観がだらしなくなることを避ける。
【図面の簡単な説明】
【００１０】
説明しやすいため、本発明は以下の具体的な実施例と付図を交え詳しく説明する。
【００１１】
【図１】図１は本発明の怠け者ニットネクタイの全体構造概略図
【図２】図２は図１のネクタイ結び目の構造概略図
【図３】図３は図２のＡ−Ａの構造概略図
【図４】図４は図３のＢ−Ｂの構造概略図
【図５】図５は図２のＣ−Ｃの構造概略図
【図６】図６は図２のＤ−Ｄの構造概略図
【発明を実施するための形態】
【００１２】
下記に図１−６をあわせて本発明について詳しく説明し、本出願に記載の各方向は図１と同じ方向から装置を観察するときの方向と同じである。
【００１３】
本発明の怠け者ニットネクタイは、ネクタイ結び目１１を含み、前記ネクタイ結び目１１の中には伝動チャンバ１６が設置され、前記伝動チャンバ１６の後端内壁には中心対称の二つのスライド穴３９が設置され、前記スライド穴３９の中には従動軸４０が左右対称に固定的に連結され、前記従動軸４０には挟みローラー３８が回転できるように連結され、上下両側の前記挟みローラー３８の間には首輪１２が当接できるように取り付けられ、前記伝動チャンバ１６の頂端内壁には前記スライド穴３９の前端に位置している固定軸１５が設置され、前記固定軸１５にはガイドローラー１４が回転できるように連結され、左端の前記ガイドローラー１４と前記首輪１２とが固定的に連結され、前記伝動チャンバ１６の頂端内壁には弾性復帰可能な佩帯装置９０１が回転できるように連結され、前記伝動チャンバ１６の左右端内壁にはスライドレール２４が対称に設置され、前記スライドレール２４にはロック装置９０２がスライドできるように連結され、前記伝動チャンバ１６の下端内壁には抜き穴２６が連通し設置され、前記抜き穴２６の中には伸縮装置９０３が回転できるように連結され、
手動で反時計回りに前記佩帯装置９０１を回し、前記首輪１２を首にかけることができるまで、前記首輪１２の収納範囲を拡大し、前記ロック装置９０２を引き下に移動させ、このとき、前記首輪１２が首に密着するまで、前記佩帯装置９０１が弾性復帰力により時計回りに回転し、ユーザーの上半身の身長により、前記伸縮装置９０３を回転させ適当な長さを選択する。
【００１４】
有益的には、前記佩帯装置９０１は前記伝動チャンバ１６の頂端内壁と回転できるように連結される伝動軸１９を含み、前記伝動軸１９には調節輪１７が設置され、前記調節輪１７の上側端面と前記伝動チャンバ１６の頂端内壁との間にはトーションばね１８が連結され、前記調節輪１７には前記首輪１２と固定的に連結され、且つ右端の前記ガイドローラー１４と当接されるベルト２０が設置され、前記伝動軸１９には前記調節輪１７の下端に位置しており、且つ前記伝動チャンバ１６の外側まで伸びている回転盤２１が設置され、前記伝動軸１９には前記回転盤２１の下側に位置しているラチェットホイール３０が設置され、
手動で反時計回りに前記回転盤２１を回し、前記伝動軸１９により前記調節輪１７を連動させ、前記首輪１２の収納範囲を拡大し、頭部を通して首にかけられる。
【００１５】
有益的には、前記ロック装置９０２は前記スライドレール２４とスライドできるように連結される引き板２３を含み、前記引き板２３の上側端と前記スライドレール２４の頂端内壁との間には伸びばね２２が連結され、前記引き板２３の上側端面には前記伝動チャンバ１６の中に位置しているスリーブ３１が設置され、前記スリーブ３１の中には上方に開口した凹溝３２が設置され、前記凹溝３２の中には八つの位置制限ロッド３３が環状配列で分布され、前記位置制限ロッド３３の中には円心に開口し、且つ反時計回り側向きの回転溝３６が設置され、前記回転溝３６の中には回転軸３４が回転できるように連結され、前記回転軸３４には前記ラチェットホイール３０と当接される引掛りロッド３５が設置され、前記引掛りロッド３５の下側端面と前記回転溝３６の底端内壁との間には復帰ばね３７が連結され、
前記ラチェットホイール３０に対し単方向に回転制御を行う。
【００１６】
有益的には、前記伸縮装置９０３は前記抜き穴２６の左右端内壁に設置される対称の折り曲げブロック２５を含み、前記抜き穴２６の中には前記折り曲げブロック２５の上端に位置しており、且つ左に前記抜き穴２６の左部外側まで伸びている駆動軸２８が回転できるように連結され、前記駆動軸２８には前記抜き穴２６の中に位置している収納輪２７が設置され、前記収納輪２７にはネクタイ１３が設置され、前記駆動軸２８の左端末端にはノブ２９が設置され、
手動で前記ノブ２９を回し、前記駆動軸２８により前記収納輪２７を回す。
【００１７】
初期状態に、ネクタイ１３が収納輪２７に巻き付いており、抜き穴２６の中に収納されており、引き板２３がスライドレール２４において上端内壁に近接するところに位置しており、引掛りロッド３５とラチェットホイール３０とを当接させ、引掛りロッド３５の回転が前記回転溝３６の空間範囲に制限され、それにより伝動軸１９が反時計回りにしか回転できなく、また伝動軸１９の回転が前記復帰ばね３７の弾性により復帰できる。
【００１８】
作動するとき、手動で反時計回りに回転盤２１を回し、伝動軸１９により調節輪１７を回転連動させ、トーションばね１８に運動エネルギーを蓄積させ、同時に、ベルト２０が右端のガイドローラー１４と、右端の挟みローラー３８を通させ、ベルト２０の収納範囲を増加し、頭部を通して首にかけられ、そして、手動で下に引き板２３を引き、伸びばね２２に運動エネルギーを蓄積させ、引き板２３がスリーブ３１を連動させ同期に下に移動させ、引掛りロッド３５をラチェットホイール３０との当接から離脱させ、このとき、伝動軸１９の弾性復帰のため調節輪１７を時計回りに回転連動させ、ベルト２０により首輪１２を引き快速に首に密着させ、引き板２３を放し、引き板２３が伸びばね２２の弾性復帰により上に移動し、引掛りロッド３５とラチェットホイール３０とを改めて当接させ、また反時計回りに回転盤２１を回転させ、首輪１２が首に密着する力の大きさを調整し、そしてノブ２９を回転させ駆動軸２８により収納輪２７を回転させ、ネクタイ１３を抜き穴２６の中から適当な長さまで滑り出せる。
【００１９】
終わった後、逆方向にノブ２９を回転させ、ネクタイ１３を折り曲げブロック２５の制限を通して折り曲げさせ、また収納輪２７に巻き付き、作業ステップと同じ操作方式で、ベルト２０の範囲を増加しネクタイを取り外せばよい。
【００２０】
本発明の有益的な効果は：本発明は操作技能のない簡単なネクタイであり、手動でネクタイの結び目にある機械伝動部品を操作することにより着けと調整を行い、ネクタイを結べない人に便利を与え、時間を節約し、同時に、ネクタイの長さを調整でき、サイズが合わないと外観がだらしなくなることを避ける。
【００２１】
以上の方式により、当業者が本発明範囲内で作業モードによって各種な変形をすることができる。